(57)【要約】【課題】先端工具の回転軸が所定の方向に沿うように電動工具の向きを調整することができる電動工具、この電動工具に備えられる水準器及び補助ハンドルブロックを提供する。【解決手段】ホルダＨ１は、先端工具Ｔ１が回転軸Ａ１を中心に回転できるように先端工具Ｔ１を固定する。胴部３には、ホルダＨ１が固定されている。グリップ部４は、胴部３から突出する。固定部６は、胴部３に取り付けられ、水準器５を固定する。固定部６は、水準器５と一緒に、回転軸Ａ１と直交する平面に沿って胴部３の周りを先端工具Ｔ１の回転方向に回転可能である。【選択図】図２
2019089138.tif 000002
【特許請求の範囲】
【請求項１】
先端工具が回転軸を中心に回転できるように前記先端工具を固定するホルダと、
前記ホルダが固定された胴部と、
前記胴部から突出するグリップ部と、
水準器と、
前記胴部に取り付けられ、前記水準器を固定する固定部と、を備え、
前記固定部は、前記水準器と一緒に、前記回転軸と直交する平面に沿って前記胴部の周りを前記先端工具の回転方向に回転可能である
ことを特徴とする電動工具。
【請求項２】
前記固定部につながっている補助ハンドルを更に備え、
前記補助ハンドルは、前記固定部及び前記水準器と一緒に、前記胴部の周りを前記回転方向に回転可能である
ことを特徴とする請求項１記載の電動工具。
【請求項３】
前記補助ハンドルは、前記固定部につながっている棒状部を有し、
前記棒状部は、前記棒状部の長手方向において前記胴部に向かい合い、
前記固定部は、前記長手方向において前記棒状部と前記水準器との間に前記胴部が位置するように前記水準器を固定する
ことを特徴とする請求項２記載の電動工具。
【請求項４】
前記固定部は、前記長手方向における前記棒状部の延長線上から、前記胴部を中心として前記回転方向にずれた位置に前記水準器を固定する
ことを特徴とする請求項３記載の電動工具。
【請求項５】
前記先端工具を回転させるための操作を受け付ける操作部を更に備え、
前記グリップ部には、前記操作部が固定され、
前記固定部は、前記水準器と、前記胴部のうち前記回転軸に沿った一の方向において前記グリップ部及び前記ホルダの間の位置にある部位とが隣り合うように、前記水準器を固定する
ことを特徴とする請求項１〜４のいずれか一項に記載の電動工具。
【請求項６】
前記固定部は、棒状の深さゲージを含み、
前記深さゲージは、前記先端工具が穴あけ対象に穴を形成するドリルビットであるときに、前記穴の深さが指定した深さに達したときに前記穴あけ対象に接触することで、前記穴が前記指定した深さよりも深くなることを抑制し、
前記水準器には、前記深さゲージが挿入されている挿入孔が形成されており、
前記水準器は、前記挿入孔に前記深さゲージが挿入されることにより、前記深さゲージに固定されている
ことを特徴とする請求項１〜５のいずれか一項に記載の電動工具。
【請求項７】
前記水準器が前記胴部の周りを前記回転方向に回転する動作をロック及びロック解除するロック機構を更に備える
ことを特徴とする請求項１〜６のいずれか一項に記載の電動工具。
【請求項８】
前記水準器は、前記固定部に対して前記回転方向に回転可能である
ことを特徴とする請求項１〜７のいずれか一項に記載の電動工具。
【請求項９】
前記水準器は、前記固定部に着脱可能である
ことを特徴とする請求項１〜８のいずれか一項に記載の電動工具。
【請求項１０】
前記水準器は、
前記回転軸が水平方向に沿っているときに水平状態を検出する第１水準器本体と、
前記回転軸が鉛直方向に沿っているときに水平状態を検出する第２水準器本体と、を含む
ことを特徴とする請求項１〜９のいずれか一項に記載の電動工具。
【請求項１１】
請求項１〜１０のいずれか一項に記載の電動工具に備えられる
ことを特徴とする水準器。
【請求項１２】
先端工具が回転軸を中心に回転できるように前記先端工具を固定するホルダと、
前記ホルダが固定された胴部と、
前記胴部から突出するグリップ部と、
水準器と、
前記胴部に取り付けられ、前記水準器を固定する固定部と、
前記固定部につながっている補助ハンドルと、を備える電動工具の前記水準器、前記固定部及び前記補助ハンドルを備え、
前記固定部は、前記水準器と一緒に、前記回転軸と直交する平面に沿って前記胴部の周りを前記先端工具の回転方向に回転可能であり、
前記補助ハンドルは、前記固定部及び前記水準器と一緒に、前記胴部の周りを前記回転方向に回転可能である
ことを特徴とする補助ハンドルブロック。
【発明の詳細な説明】
【技術分野】
【０００１】
本発明は電動工具、水準器及び補助ハンドルブロックに関し、より詳細には、水準器を備える電動工具、この電動工具に備えられる水準器及び補助ハンドルブロックに関する。
【背景技術】
【０００２】
従来例として特許文献１記載の電動工具を例示する。特許文献１記載の電動工具の外殻は、略筒状のケーシングと、一端部がケーシングの端部に回動可能に連結された略筒状のグリップとで構成されている。また、特許文献１記載の電動工具は、軸部を有している。軸部の前端部には、ケーシングの前端部から前方に突出するチャック機構が設けられている。チャック機構にはドライバービット等の先端工具が着脱自在に装着される。先端工具は、ねじやナットを締める方向又は緩める方向に回転する。
【先行技術文献】
【特許文献】
【０００３】
【特許文献１】特開２０１３−１０７１６６号公報
【発明の概要】
【発明が解決しようとする課題】
【０００４】
特許文献１記載の電動工具では、先端工具の回転軸が所定の方向（例えば、水平方向又は鉛直方向）に沿うように電動工具の向きを調整する作業は、ユーザの感覚に基づいて行うことになる。したがって、先端工具の回転軸が所定の方向に沿うように電動工具の向きを調整することは容易ではなかった。
【０００５】
本発明は、先端工具の回転軸が所定の方向に沿うように電動工具の向きを調整することができる電動工具、この電動工具に備えられる水準器及び補助ハンドルブロックを提供することを目的とする。
【課題を解決するための手段】
【０００６】
上記の課題を解決するために、本発明の一態様に係る電動工具は、ホルダと、胴部と、グリップ部と、水準器と、固定部と、を備える。前記ホルダは、先端工具が回転軸を中心に回転できるように前記先端工具を固定する。前記胴部には、前記ホルダが固定されている。前記グリップ部は、前記胴部から突出する。前記固定部は、前記胴部に取り付けられ、前記水準器を固定する。前記固定部は、前記水準器と一緒に、前記回転軸と直交する平面に沿って前記胴部の周りを前記先端工具の回転方向に回転可能である。
【０００７】
本発明の一態様に係る水準器は、前記電動工具に備えられる。
【０００８】
本発明の一態様に係る補助ハンドルブロックは、ホルダと、胴部と、グリップ部と、水準器と、固定部と、補助ハンドルと、を備える電動工具の前記水準器、前記固定部及び前記補助ハンドルを備える。前記ホルダは、先端工具が回転軸を中心に回転できるように前記先端工具を固定する。前記胴部には、前記ホルダが固定されている。前記グリップ部は、前記胴部から突出する。前記固定部は、前記胴部に取り付けられ、前記水準器を固定する。前記補助ハンドルは、前記固定部につながっている。前記固定部は、前記水準器と一緒に、前記回転軸と直交する平面に沿って前記胴部の周りを前記先端工具の回転方向に回転可能である。前記補助ハンドルは、前記固定部及び前記水準器と一緒に、前記胴部の周りを前記回転方向に回転可能である。
【発明の効果】
【０００９】
本発明の一態様に係る電動工具、水準器及び補助ハンドルブロックによれば、先端工具の回転軸が所定の方向（例えば、水平方向又は鉛直方向）に沿うように電動工具の向きを調整することができる。
【図面の簡単な説明】
【００１０】
【図１】図１は、一実施形態に係る電動工具の分解斜視図である。
【図２】図２は、同上の電動工具の一使用態様における正面図である。
【図３】図３は、同上の電動工具の要部の断面図である。
【図４】図４は、同上の電動工具の平面図である。
【図５】図５は、同上の電動工具の水準器の斜視図である。
【図６】図６は、同上の電動工具の右側面図である。
【図７】図７は、同上の電動工具の動作を示す右側面図である。
【発明を実施するための形態】
【００１１】
以下、実施形態に係る電動工具、水準器及び補助ハンドルブロックについて、図面を用いて説明する。ただし、以下に説明する実施形態は、本開示の様々な実施形態の一部に過ぎない。下記の実施形態は、本開示の目的を達成できれば、設計等に応じて種々の変更が可能である。
【００１２】
（電動工具の構成）
図１に示すように、電動工具１は、ホルダＨ１と、本体部２と、補助ハンドルブロックＢ１と、を備えている。本体部２は、胴部３と、グリップ部４と、を含む。補助ハンドルブロックＢ１は、水準器５と、固定部６と、補助ハンドル７と、を備えている。電動工具１は、操作部（トリガ）Ｏｐ１と、モータと、伝達機構と、を更に備えている。
【００１３】
胴部３は、中空状に形成されている。モータ及び伝達機構は、胴部３の内部に収容されている。グリップ部４は、中空状に形成されている。グリップ部４は、胴部３から突出している。グリップ部４は、胴部３と一体に形成されている。胴部３の内部の空間と、グリップ部４の内部の空間とは、つながっている。グリップ部４には、操作部Ｏｐ１が固定されている。ホルダＨ１は、胴部３に固定されている。図２に示すように、ホルダＨ１は、先端工具Ｔ１を固定する。
【００１４】
電動工具１は、例えば、ハンマドリルである。先端工具Ｔ１は、例えば、ドリルビットである。すなわち、電動工具１は、先端工具Ｔ１により、コンクリート、木材若しくは金属材等の穴あけ対象１００に穴１１０を形成する。先端工具Ｔ１は、細長い円柱状に形成されている。先端工具Ｔ１は、回転軸Ａ１を中心に回転できるようにホルダＨ１に固定される。回転軸Ａ１は、円柱状の先端工具Ｔ１の径方向の中心を通り先端工具Ｔ１の軸方向に沿った、仮想的な直線である。
【００１５】
ホルダＨ１の外形形状は、円錐台状である。ホルダＨ１の軸方向は、回転軸Ａ１に沿っている。ホルダＨ１の軸方向の一端には、チャック穴Ｈ１０（図１参照）が形成されている。先端工具Ｔ１は、一端がチャック穴Ｈ１０に挿入された状態で、ホルダＨ１に固定される。ホルダＨ１は、ホルダＨ１の軸方向において、先端工具Ｔ１が固定される側（胴部３とは反対側）ほど外径が小さい。
【００１６】
操作部Ｏｐ１は、操作部Ｏｐ１を引き込む手動操作を受け付ける。ユーザが操作部Ｏｐ１を引き込むと、モータが動作する。伝達機構は、モータの動力をホルダＨ１へ伝達する。これにより、先端工具Ｔ１は、ホルダＨ１と一緒に、回転軸Ａ１を中心に回転する。要するに、操作部Ｏｐ１への手動操作により、先端工具Ｔ１が回転する。ユーザが操作部Ｏｐ１を引き込む手動操作を止めると、モータが停止し、先端工具Ｔ１は回転を停止する。
【００１７】
図１、２に示すように、胴部３は、胴部本体３０と、装着部３１と、を含む。胴部本体３０及び装着部３１は、円筒状に形成されている。胴部本体３０及び装着部３１の軸方向は、回転軸Ａ１に沿っている。より詳細には、装着部３１は、先端工具Ｔ１と同心の円筒状に形成されている。胴部本体３０の外周面３００より装着部３１の外周面３１０の方が、真円を底面とする円柱の外周面の形状に近い。また、装着部３１の外周面３１０には、装着部３１以外の構成に一体につながっている部位及び突起等がない。装着部３１の軸方向の一端は、胴部本体３０とつながっており、装着部３１の軸方向の他端側には、ホルダＨ１が固定されている。すなわち、装着部３１は、胴部本体３０と、ホルダＨ１との間に設けられている。
【００１８】
グリップ部４は、筒状に形成されている。グリップ部４は、回転軸Ａ１に沿った一の方向（図２の紙面左右方向）において、胴部３のうち、ホルダＨ１が固定されている側とは反対側の端付近から、上記一の方向と交差する方向（図２の紙面下向き）に突出している。
【００１９】
電動工具１は、取付本体２１と、投光部２２と、操作パネル２３と、モード切替ハンドル２４と、打撃力切替ハンドル２５と、正逆切替操作部２６と、を更に備えている。
【００２０】
取付本体２１は、胴部本体３０から突出している。取付本体２１は、胴部本体３０及びグリップ部４と一体に形成されている。取付本体２１には、電池パック２００が取り付けられる。電池パック２００は、リチウムイオン電池等の２次電池を収容している。２次電池は、電動工具１に電力を供給する。
【００２１】
投光部２２は、発光ダイオード素子等の光源を含む。投光部２２は、回転軸Ａ１に沿った向き（図２の紙面左向き）に光を照射する。操作パネル２３は、投光部２２の光源の点灯と消灯とを切り替えるための釦２３１を有している。
【００２２】
モード切替ハンドル２４は、電動工具１の動作を、ドリルモードと、ハンマモードとに切り替える操作を受け付ける。ドリルモードでは、電動工具１は、先端工具Ｔ１を介して、回転力を穴あけ対象１００に加える。ハンマモードでは、電動工具１は、先端工具Ｔ１を介して、回転力と、打撃力とを穴あけ対象１００に加える。打撃力切替ハンドル２５は、ハンマモードにおける打撃力の大きさを切り替える操作を受け付ける。正逆切替操作部２６は、先端工具Ｔ１の回転方向を反転させる操作を受け付ける。
【００２３】
図３は、図４のＸ１−Ｘ１断面図である。固定部６の少なくとも一部が、図３に示すように装着部３１を囲むように配置された後に、固定部６は装着部３１に取り付けられる。図１、３に示すように、固定部６は、バンド６１と、支持部６２と、連結部６３と、カバー６４と、深さゲージ６５と、を含む。
【００２４】
バンド６１は、円弧状の部位を有する環形の板状に形成されている。支持部６２は、一の面に開口部６２０が形成された箱状に形成されている。支持部６２の上記一の面は、固定部６が装着部３１に取り付けられているとき装着部３１側に位置する面である。支持部６２には、開口部６２０からバンド６１の一部が挿入されている。支持部６２の内部には、バンド６１と接するリブ６２１が形成されている。また、支持部６２には、２つの貫通孔６２２が形成されている。２つの貫通孔６２２のうち一方に、深さゲージ６５が挿入される。これにより、深さゲージ６５は、支持部６２に支持されている。
【００２５】
連結部６３は、一の面に開口部６３０が形成された箱状の連結本体６３１と、連結本体６３１の周面から突出した円環状の鍔部６３２と、を有している。連結部６３の上記一の面は、固定部６が装着部３１に取り付けられているとき装着部３１側に位置する面である。連結部６３には、開口部６３０からバンド６１の一部が挿入されている。連結部６３には、支持部６２が固定されている。
【００２６】
カバー６４は、カバー６４の厚み方向と直交する方向から見て円弧形の板状に形成されている。カバー６４は、連結部６３の開口部６３０の一部を覆うように、連結部６３に取り付けられている。固定部６には、バンド６１とカバー６４とに囲まれた円状の開口部６００が形成されている。
【００２７】
補助ハンドル７は、棒状部７０を含む。本実施形態では、棒状部７０は、補助ハンドル７の全体を構成している。棒状部７０は、円筒形の棒状に形成されている。棒状部７０は、固定部６の連結部６３につながっている。
【００２８】
固定部６は、胴部３の装着部３１に取り付けられる。より詳細には、バンド６１とカバー６４とに囲まれた開口部６００に装着部３１が挿入され、バンド６１の内周面６１０とカバー６４とが装着部３１の外周面３１０に接する。このとき、バンド６１、支持部６２、連結部６３及びカバー６４は、装着部３１を囲むように配置される。すなわち、固定部６は、少なくとも一部が装着部３１を囲むように胴部３に取り付けられる。また、このとき、棒状部７０は、棒状部７０の長手方向（軸方向）において胴部３の装着部３１に向かい合う。より詳細には、棒状部７０の長手方向における棒状部７０の延長線上に、円筒状の装着部３１の中心軸が位置する。
【００２９】
補助ハンドルブロックＢ１は、ボルト８１と、バンド６１と、棒状部７０と、を含むロック機構８を備えている。すなわち、バンド６１は、固定部６の構成と、ロック機構８の構成とを兼ねている。棒状部７０は、補助ハンドル７の構成と、ロック機構８の構成とを兼ねている。
【００３０】
固定部６は、装着部３１の外周面３１０に沿って回転する。より詳細には、バンド６１の内周面６１０及びカバー６４が装着部３１の外周面３１０に対して滑ることで、固定部６は、装着部３１の外周面３１０に沿って、外周面３１０の周方向に回転する。これにより、補助ハンドル７及びロック機構８も装着部３１の周りを回転する。また、固定部６の深さゲージ６５は、水準器５を固定している。すなわち、水準器５、固定部６、補助ハンドル７及びロック機構８（補助ハンドルブロックＢ１）が一体に、装着部３１の周りを回転する。
【００３１】
深さゲージ６５は、棒状（より詳細には、円柱状）に形成されている。深さゲージ６５は、支持部６２の２つの貫通孔６２２のうち一方に挿入されている。深さゲージ６５には、深さゲージ６５の長尺方向に間隔を空けて目盛りが記されている。深さゲージ６５の長尺方向は、回転軸Ａ１（図２参照）に沿っている。詳しくは後述するが、深さゲージ６５は、先端工具Ｔ１（図２参照）が形成する穴１１０（図２参照）の深さが指定した深さよりも深くなることを抑制する。
【００３２】
ロック機構８は、開口部６００の直径を変更することにより、バンド６１及びカバー６４が装着部３１を締め付ける力を変更する。ロック機構８は、バンド６１及びカバー６４が装着部３１を締め付ける力を大きくすることにより、固定部６が装着部３１に対して回転することを抑制する。
【００３３】
ボルト８１は、バンド６１と棒状部７０とを連結している。ボルト８１は、バンド６１に対して回転しないようにバンド６１に固定されている。棒状部７０の回転軸Ａ２を中心として棒状部７０を第１方向Ｄ１（図２参照）に回転させることにより、棒状部７０に対するボルト８１のねじ込み深さが増加する。また、棒状部７０の回転軸Ａ２を中心として棒状部７０を第１方向Ｄ１とは逆の第２方向Ｄ２（図２参照）に回転させることにより、棒状部７０に対するボルト８１のねじ込み深さが減少する。このように、棒状部７０の長手方向（軸方向）に沿ってボルト８１を移動させることができる。回転軸Ａ２は、円柱状の棒状部７０の径方向の中心を通り棒状部７０の軸方向に沿った、仮想的な直線である。
【００３４】
棒状部７０に対するボルト８１のねじ込み深さを増加させ、ボルト８１を図３の紙面下向き（開口部６００から離れる向き）に移動させると、バンド６１が紙面下向きに引っ張られる。これにより、バンド６１のうち連結部６３の外に位置する部分の長さが短くなるので、開口部６００の直径が小さくなる。開口部６００の直径が小さくなることで、バンド６１及びカバー６４が装着部３１を締め付ける力が増加するので、固定部６が装着部３１に固定され、かつ、固定部６が装着部３１に対して回転することが抑制される。
【００３５】
また、棒状部７０に対するボルト８１のねじ込み深さを減少させ、ボルト８１を図３の紙面上向き（開口部６００に近づく向き）に移動させると、装着部３１に対してバンド６１が緩む。これにより、バンド６１のうち連結部６３の外に位置する部分の長さが長くなるので、開口部６００の直径が大きくなる。開口部６００の直径が大きくなることで、バンド６１及びカバー６４が装着部３１を締め付ける力が減少するので、固定部６が装着部３１に対して回転可能となる。
【００３６】
固定部６、補助ハンドル７及びロック機構８を装着部３１に取り付ける際には、まず、棒状部７０を第２方向Ｄ２（図２参照）に回転させて開口部６００の直径を装着部３１の直径よりも大きくし、装着部３１を開口部６００に挿入する。そして、固定部６、補助ハンドル７及びロック機構８を装着部３１の周方向に回転させることで、補助ハンドル７の位置を適宜調整する。その後、棒状部７０を第１方向Ｄ１（図２参照）に回転させて開口部６００の直径を小さくする。これにより、バンド６１及びカバー６４が装着部３１を締め付けるので、固定部６が装着部３１に固定され、かつ、固定部６が装着部３１に対して回転することが抑制される。
【００３７】
図４では紙面上側から固定部６、補助ハンドル７の順に並んでいる。ところで、固定部６、補助ハンドル７及びロック機構８は、図４の紙面左右方向に対称（回転軸Ａ１と直交する平面に対して対称）に形成されている。したがって、図４で紙面上側から補助ハンドル７、固定部６の順で並ぶように、固定部６、補助ハンドル７及びロック機構８からなる構成を、紙面奥行き方向に沿った回転軸を中心に１８０°回転させてから、固定部６、補助ハンドル７及びロック機構８を装着部３１に取り付けてもよい。
【００３８】
また、図３に示すように、ロック機構８は、２つのゲージ固定部８２を更に含む。各ゲージ固定部８２は、支持部６２の内部に配置されている。各ゲージ固定部８２は、回転軸Ａ１（図２参照）と直交する方向から見てＵ字状に形成されている。一方のゲージ固定部８２は、バンド６１に引っ掛けられており、他方のゲージ固定部８２は、バンド６１及びカバー６４に引っ掛けられている。各ゲージ固定部８２には、２つの貫通孔８２０（図３では１つのゲージ固定部８２につき１つの貫通孔８２０のみ図示）が形成されている。各ゲージ固定部８２において、２つの貫通孔８２０は、図３の紙面奥行き方向（回転軸Ａ１に沿った方向）に並んでいる。２つの貫通孔８２０は、図３の紙面奥行き方向において、支持部６２の貫通孔６２２と並んでいる。深さゲージ６５は、一方のゲージ固定部８２の２つの貫通孔８２０と、支持部６２の貫通孔６２２とに挿入されている。
【００３９】
棒状部７０を第１方向Ｄ１（図２参照）に回転させて開口部６００の直径を小さくすると、バンド６１及びカバー６４により、２つのゲージ固定部８２が開口部６００の中心に向かって引っ張られる。すると、一方のゲージ固定部８２の２つの貫通孔８２０に挿入された深さゲージ６５は、開口部６００の中心に向かって引っ張られる。これにより、支持部６２に対して深さゲージ６５が、深さゲージ６５の長尺方向に移動することが抑制される。
【００４０】
図５に示すように、水準器５は、第１水準器本体５１と、第２水準器本体５２と、ハウジング５３と、を含む。
【００４１】
第１水準器本体５１は、第１気泡管５１１を有している。第１気泡管５１１は、中空の円柱状に形成されている。第１気泡管５１１は、ガラス等の部材により形成されており、透明である。第１気泡管５１１の内部には、アルコール等の液体５１２と、気泡５１３とが入っている。また、第１気泡管５１１には、複数（図５では４つ）の目盛り線５１４が記されている。複数の目盛り線５１４は、第１気泡管５１１の軸方向に並んでいる。複数の目盛り線５１４のうち、中心側の２つの目盛り線５１４の間の領域Ｆ１の中心（第１気泡管５１１の軸方向における中心）に気泡５１３の中心Ｃ１が位置していれば、第１気泡管５１１の軸方向が水平方向に沿っていると分かる。つまり、このとき、第１水準器本体５１は、第１水準器本体５１が水平状態であることを検出できる。また、領域Ｆ１に位置する気泡５１３の外縁が複数の目盛り線５１４のいずれかに接していれば、第１気泡管５１１の軸方向が水平方向に対して所定の角度ずれていることが分かる。例えば、領域Ｆ１に位置する気泡５１３の外縁が、領域Ｆ１に対して外側の２つの目盛り線５１４のいずれかに接していれば、第１気泡管５１１の軸方向が水平方向に対して１００分の１勾配に相当する角度（約０．５７°）だけずれていることが分かる。
【００４２】
第２水準器本体５２は、第２気泡管５２１を有している。第２気泡管５２１は、中空の円柱状に形成されている。第２気泡管５２１は、第１気泡管５１１と比較して、軸方向に偏平に形成されている。第２気泡管５２１は、ガラス等の部材により形成されており、透明である。第２気泡管５２１の内部には、アルコール等の液体５２２と、気泡とが入っている。また、第２気泡管５２１の一の表面５２１０には、円形の基準線５２４が記されている。回転軸Ａ１（図２参照）に沿った方向から見て、基準線５２４の内側に気泡の中心が位置していれば、第２気泡管５２１の軸方向と直交する面が水平方向に沿っていると分かる。つまり、このとき、第２水準器本体５２は、第２水準器本体５２が水平状態であることを検出できる。
【００４３】
ハウジング５３は、２つの部材が合わさって形成されている。ハウジング５３には、溝部５３１と、円形の穴５３２とが形成されている。ハウジング５３は、第１水準器本体５１と、第２水準器本体５２とを固定している。より詳細には、ハウジング５３が２つの部材に分かれた状態で、溝部５３１に第１水準器本体５１が挿入され、２つの部材が合わさることで、第１水準器本体５１がハウジング５３に固定されている。また、ハウジング５３が２つの部材に分かれた状態で、穴５３２に第２水準器本体５２が挿入され、２つの部材が合わさることで、第２水準器本体５２がハウジング５３に固定されている。
【００４４】
第１水準器本体５１及び第２水準器本体５２はそれぞれ、使用される際の向きがある程度決まっている。つまり、第１水準器本体５１及び第２水準器本体５２はそれぞれ、鉛直方向に対して所定の方向を向いているときに最も正確に水平状態を検出できる。具体的には、第１水準器本体５１は、鉛直方向において溝部５３１よりも上に位置するときに最も正確に水平状態を検出できるように、ハウジング５３に固定されている。第２水準器本体５２は、基準線５２４が記されている一の表面５２１０が鉛直方向において上を向いているときに最も正確に水平状態を検出できるように、ハウジング５３に固定されている。
【００４５】
ハウジング５３は、第１気泡管５１１の軸方向が第２気泡管５２１の軸方向に沿うように、第１水準器本体５１と第２水準器本体５２とを固定している。さらに、水準器５は、第１気泡管５１１の軸方向及び第２気泡管５２１の軸方向が回転軸Ａ１（図２参照）に沿うように、固定部６（図２参照）に固定される。したがって、第１水準器本体５１は、第１水準器本体５１が鉛直方向において溝部５３１よりも上に位置するときであって、第１気泡管５１１の軸方向及び回転軸Ａ１が水平方向に沿っているときに水平状態を検出することができる。また、第２水準器本体５２は、一の表面５２１０が鉛直方向において上を向いているときであって、第２気泡管５２１の軸方向及び回転軸Ａ１が鉛直方向に沿っているときに水平状態を検出することができる。
【００４６】
ハウジング５３には、挿入孔５３０が形成されている。挿入孔５３０は、第１気泡管５１１の軸方向及び第２気泡管５２１の軸方向に沿ってハウジング５３を貫通している。図４、６に示すように、挿入孔５３０には、深さゲージ６５が挿入されている。水準器５は、挿入孔５３０に深さゲージ６５が挿入されることにより、深さゲージ６５に固定されている。また、挿入孔５３０から深さゲージ６５を抜き取ることにより、水準器５を深さゲージ６５から取り外すことができる。すなわち、水準器５は、固定部６の深さゲージ６５に着脱可能である。
【００４７】
支持部６２の２つの貫通孔６２２（図１参照）は、棒状部７０（補助ハンドル７）の軸方向において、支持部６２の両端付近に形成されている。深さゲージ６５は、２つの貫通孔６２２のうち、棒状部７０から遠い側の貫通孔６２２に挿入されている。これにより、固定部６は、棒状部７０の長手方向（図６の紙面左右方向）において棒状部７０と水準器５との間に胴部３が位置するように水準器５を固定している。
【００４８】
固定部６、補助ハンドル７及びロック機構８（図３参照）が胴部３の装着部３１の周りを回転することにより、水準器５も、装着部３１の周りを回転する。水準器５、固定部６、補助ハンドル７及びロック機構８の回転方向は、先端工具Ｔ１（図２参照）の回転方向Ｒ１と同じである。ユーザは、補助ハンドル７を握って、補助ハンドル７ごと水準器５に装着部３１の周りを回転させることができる。水準器５、固定部６、補助ハンドル７及びロック機構８は、例えば、図６に示す回転位置から、装着部３１（図１参照）の周りを回転することで、図７に示す回転位置に移動する。ここで、図６、７に示すように、水準器５、固定部６、補助ハンドル７及びロック機構８は、回転軸Ａ１（図２参照）と直交する平面に沿って装着部３１（図１参照）の周りを回転方向Ｒ１に回転する。本実施形態では、水準器５は、回転軸Ａ１を中心とする円弧状の軌跡を描いて、装着部３１の周りを回転方向Ｒ１に回転する。
【００４９】
回転の間、水準器５の第１気泡管５１１（図５参照）の軸方向及び第２気泡管５２１（図５参照）の軸方向は、回転軸Ａ１（図２参照）に沿った状態が保たれる。このように、水準器５のうち、回転する前に回転軸Ａ１に沿っていた部位では、水準器５の回転の間、回転軸Ａ１に沿った状態が保たれる。また、胴部３とは独立に水準器５単体で規定される方向（例えば、第１気泡管５１１の軸方向）と、回転軸Ａ１と直交する平面とがなす角度（本実施形態では９０°）が、水準器５の回転の間保たれる。
【００５０】
また、水準器５は、固定部６に対して回転方向Ｒ１に回転可能である。より詳細には、水準器５は、図７に示すように、深さゲージ６５を軸として回転可能である。図７では、固定部６に対して回転する前の水準器５を２点鎖線で示し、固定部６に対して回転した後の水準器５を実線で示している。ユーザは、例えば、水準器５に手で直接力を加えることで、水準器５を固定部６に対して回転方向Ｒ１に回転させることができる。水準器５が固定部６に対して回転方向Ｒ１に回転するときも、水準器５は、回転軸Ａ１と直交する平面に沿って回転する。
【００５１】
ユーザは、水準器５を固定部６に対して回転方向Ｒ１に回転させることにより、第１水準器本体５１が鉛直方向において溝部５３１よりも上に位置するように水準器５の向きを変更できる。ユーザは、水準器５を固定部６と一緒に装着部３１の周りで回転方向Ｒ１に回転させるのと、水準器５を固定部６に対して回転させるのとを同時に行ってもよいし、別々に行ってもよい。
【００５２】
上述の通り、ロック機構８の棒状部７０を第１方向Ｄ１（図２参照）に回転させて開口部６００の直径を小さくすることにより、固定部６が装着部３１（図１参照）に対して回転することが抑制される。また、ロック機構８の棒状部７０を第２方向Ｄ２（図２参照）に回転させて開口部６００の直径を大きくすることにより、固定部６が装着部３１に対して回転可能となる。つまり、ロック機構８は、固定部６が胴部３の周りを回転方向Ｒ１に回転する動作をロック及びロック解除することができる。これにより、ロック機構８は、水準器５が胴部３の周りを回転方向Ｒ１に回転する動作をロック及びロック解除することができる。
【００５３】
支持部６２の２つの貫通孔６２２は、棒状部７０の長手方向（図６の紙面左右方向）における棒状部７０の延長線上から、胴部３を中心として回転方向Ｒ１にずれた位置に形成されている。したがって、固定部６は、棒状部７０の長手方向における棒状部７０の延長線上から、胴部３を中心として回転方向Ｒ１にずれた位置に水準器５を固定する。言い換えると、固定部６は、棒状部７０の長手方向における棒状部７０の延長線上から、棒状部７０の長手方向及び回転軸Ａ１（図２参照）と略直交する方向（図６の紙面上下方向）にずれた位置に水準器５を固定する。このとき、図２に示すように、棒状部７０の長手方向から見て、水準器５のうち第１水準器本体５１の少なくとも一部が、胴部３に隠れることなく見える。
【００５４】
深さゲージ６５の長手方向は、回転軸Ａ１に沿っている。深さゲージ６５のうち、どの部位にでも水準器５を固定できる。本実施形態では、深さゲージ６５（固定部６）は、水準器５と、胴部３のうち回転軸Ａ１に沿った上記一の方向（図２の紙面左右方向）においてグリップ部４及びホルダＨ１の間の位置にある部位Ｐ１とが隣り合うように、水準器５を固定する。胴部３のうち、回転軸Ａ１に沿った上記一の方向においてグリップ部４及びホルダＨ１の間の位置にある部位Ｐ１とは、胴部本体３０のうち、固定部６の支持部６２と隣接する部位である。つまり、水準器５は、支持部６２の付近に固定される。
【００５５】
（電動工具を用いた作業の例）
次に、電動工具１を用いた作業の例を説明する。まず、壁材である穴あけ対象１００に、穴１１０の深さ方向が水平方向に沿うように穴１１０を形成する作業の例を説明する。この作業では、第１水準器本体５１と第２水準器本体５２とのうち、第１水準器本体５１を用いる。
【００５６】
まず、ユーザは、棒状部７０を第２方向Ｄ２（図２参照）に回転させて開口部６００（図１参照）の直径を大きくすることにより、回転方向Ｒ１への水準器５の回転をロック解除する。また、このとき、バンド６１（図３参照）が開口部６００の中心に向かってゲージ固定部８２（図３参照）を引っ張る力が低減することにより、支持部６２に対して深さゲージ６５が、深さゲージ６５の長尺方向に移動することが可能となる。
【００５７】
次に、ユーザは、先端工具Ｔ１が形成する穴１１０の深さを、深さゲージ６５を用いて予め指定しておく。すなわち、先端工具Ｔ１の先端Ｔ１０を穴あけ対象１００に接触させ、さらに、支持部６２に対して、深さゲージ６５を回転軸Ａ１に沿った方向に移動させて、深さゲージ６５の先端６５０を穴あけ対象１００に接触させる。この状態から、支持部６２に対して、深さゲージ６５を回転軸Ａ１に沿った方向に移動させることで、先端工具Ｔ１で形成する穴１１０の深さ（ユーザが指定する穴１１０の深さ）と同じ長さだけ、深さゲージ６５を穴あけ対象１００から遠ざける。ユーザは、深さゲージ６５に形成された目盛りを見ることで、深さゲージ６５を所望の距離だけ移動させることができる。以上により、穴１１０の深さが指定される。
【００５８】
次に、ユーザは、補助ハンドル７に装着部３１の周りを回転方向Ｒ１（図６参照）へ回転させることにより、水準器５を見えやすい位置に移動させる。例えば、図２のように補助ハンドルブロックＢ１を配置する。
【００５９】
次に、棒状部７０を第１方向Ｄ１に回転させて開口部６００（図１参照）の直径を小さくすることにより、回転方向Ｒ１への水準器５の回転をロックする。また、このとき、開口部６００の中心に向かってゲージ固定部８２（図３参照）が引っ張られることにより、支持部６２に対して深さゲージ６５が、深さゲージ６５の長尺方向に移動することが抑制される。
【００６０】
さらに、第１水準器本体５１が鉛直方向において溝部５３１（図５参照）よりも上に位置するように、水準器５を深さゲージ６５に対して回転方向Ｒ１に回転させる。
【００６１】
ユーザは、例えば、図２における紙面右手前側から電動工具１を持つ。より詳細には、ユーザは、右手でグリップ部４を握り、左手で補助ハンドル７を握る。ユーザは、先端工具Ｔ１を穴あけ対象１００に近づける。ここで、ユーザは、先端工具Ｔ１の回転軸Ａ１が水平方向に沿うように、第１水準器本体５１を用いて電動工具１の向きを調整する。すなわち、ユーザは、第１水準器本体５１の気泡５１３の中心Ｃ１が領域Ｆ１の中心に位置するように、電動工具１の向きを調整する。気泡５１３の中心Ｃ１が領域Ｆ１の中心に位置するとき、先端工具Ｔ１の回転軸Ａ１は水平方向に沿っている。この状態でユーザは、操作部Ｏｐ１に手動操作を行うことで、先端工具Ｔ１を回転させる。
【００６２】
穴あけ対象１００に穴１１０をあけている最中にも、ユーザは、第１水準器本体５１を適宜見て、回転軸Ａ１が水平方向に沿うように電動工具１の向きを調整することができる。
【００６３】
穴１１０の深さが、深さゲージ６５で指定した深さに達すると、深さゲージ６５の先端６５０が穴あけ対象１００に接触する。このように、深さゲージ６５は、先端工具Ｔ１が形成する穴１１０の深さが指定した深さに達したときに穴あけ対象１００に接触することで、穴１１０が指定した深さよりも深くなることを抑制する。ここで、ユーザは、操作部Ｏｐ１への手動操作を止める。
【００６４】
以上の通り、ユーザは、第１水準器本体５１を用いて電動工具１の向きを調整することで、穴１１０の深さ方向が水平方向に沿うように、穴あけ対象１００に穴１１０を形成できる。
【００６５】
次に、床材である穴あけ対象に、穴の深さ方向が鉛直方向に沿うように穴を形成する作業の例を説明する。以下では、穴あけ対象１００が壁材である場合との相違点のみ説明する。
【００６６】
この作業では、第１水準器本体５１と第２水準器本体５２（図６参照）とのうち、第２水準器本体５２を用いる。第２水準器本体５２は、回転方向Ｒ１（図７参照）に回転しても、水平を検出する正確さが保たれる。したがって、水準器５を深さゲージ６５に対して回転方向Ｒ１に回転させるとき、水準器５の位置をどの位置にしてもよい。
【００６７】
ユーザは、例えば、右手でグリップ部４を握り、左手で補助ハンドル７を握る。ユーザは、先端工具Ｔ１を穴あけ対象に近づける。ここで、ユーザは、先端工具Ｔ１の回転軸Ａ１が鉛直方向に沿うように、第２水準器本体５２（図６参照）を用いて電動工具１の向きを調整する。すなわち、ユーザは、回転軸Ａ１に沿った方向から見て第２水準器本体５２の気泡が基準線５２４（図６参照）の内側に位置するように、電動工具１の向きを調整する。回転軸Ａ１に沿った方向から見て気泡が基準線５２４の内側に位置するとき、先端工具Ｔ１の回転軸Ａ１は鉛直方向に沿っている。この状態でユーザは、操作部Ｏｐ１に手動操作を行うことで、先端工具Ｔ１を回転させる。
【００６８】
穴あけ対象に穴をあけている最中にも、ユーザは、第２水準器本体５２を適宜見て、回転軸Ａ１が鉛直方向に沿うように電動工具１の向きを調整することができる。
【００６９】
以上の通り、ユーザは、第２水準器本体５２を用いて電動工具１の向きを調整することで、穴の深さ方向が鉛直方向に沿うように、穴あけ対象に穴を形成できる。
【００７０】
（変形例）
次に、実施形態の変形例を列挙する。以下の変形例は、適宜組み合わせて実現されてもよい。
【００７１】
実施形態の電動工具１は、ハンマドリルであるが、これに限定されず、電動工具１は例えば、インパクトドライバ等のドライバであってもよい。すなわち、先端工具Ｔ１は、例えば、ドライバビットであって、電動工具１は、ねじ締め等に用いられてもよい。このとき、水準器５を用いることで、ねじの軸部が水平方向又は鉛直方向に沿うようにねじ締めを行うことができる。また、電動工具１は、打撃力を穴あけ対象１００に加えるハンマドリルに限定されず、回転力のみを穴あけ対象１００に加えるドリルであってもよい。
【００７２】
実施形態において、水準器５が回転軸Ａ１と直交する平面に沿って回転するとは、回転軸Ａ１を中心として水準器５が回転し、かつ、水準器５が回転しながら、回転軸Ａ１と直交する平面に沿って水準器５が平行移動可能であることを指す。実施形態では、水準器５は、回転軸Ａ１と直交する平面に沿っての平行移動はせずに、回転軸Ａ１を中心として回転方向Ｒ１に回転する。
【００７３】
水準器５は、回転軸Ａ１を中心として回転方向Ｒ１に回転するのに加えて、回転軸Ａ１と直交する平面に沿って平行移動してもよいし、回転軸Ａ１の方向に平行移動してもよい。また、水準器５は、回転軸Ａ１を中心として回転しながら、回転軸Ａ１と直交する平面に沿って平行移動してもよい。あるいは、水準器５は、回転軸Ａ１を中心とする回転と、回転軸Ａ１と直交する平面に沿った平行移動とを、別々のタイミングで行ってもよい。要するに、胴部３とは独立に水準器５単体で規定される方向（例えば、第１気泡管５１１の軸方向）と、回転軸Ａ１と直交する平面とがなす所定の角度（実施形態では９０°）が、回転の間を通して保たれればよい。言い換えると、水準器５のある１点（例えば、第２気泡管５２１の中心点）及び別の１点（例えば、挿入孔５３０の中心点）を結ぶ直線と、回転軸Ａ１と直交する平面とがなす所定の角度（例えば、６０°）が、回転の間を通して保たれればよい。なお、所定の角度が厳密に保たれる必要はなく、例えば、胴部３とは独立に水準器５単体で規定される方向と、回転軸Ａ１と直交する平面とがなす角度が、所定の角度に対して±５°の範囲で変化しながら、水準器５が回転してもよい。
【００７４】
また、水準器５は、固定部６の深さゲージ６５に対して回転方向Ｒ１に３６０°回転可能であってもよいし、３６０°よりも小さい角度だけ回転可能であってもよい。また、水準器５は、胴部３の周りを回転方向Ｒ１に３６０°回転可能であってもよいし、３６０°よりも小さい角度だけ回転可能であってもよい。同様に、補助ハンドルブロックＢ１は、胴部３の周りを回転方向Ｒ１に３６０°回転可能であってもよいし、３６０°よりも小さい角度だけ回転可能であってもよい。
【００７５】
また、水準器５は、補助ハンドル７とは独立に、胴部３の周りを回転方向Ｒ１に回転可能であってもよい。つまり、水準器５と補助ハンドル７とが連動して胴部３の周りを回転方向Ｒ１に回転することは、必須ではない。
【００７６】
また、水準器５は、第１水準器本体５１と第２水準器本体５２とのうち、一方のみを含んでいてもよい。また、水準器５は、第１水準器本体５１と第２水準器本体５２とに加えて、別の水準器本体を含んでいてもよい。
【００７７】
また、第１水準器本体５１として、第２水準器本体５２と同じ形状の水準器本体を、水準器本体の軸方向が回転軸Ａ１と直交する方向に沿うように設けてもよい。
【００７８】
また、第２水準器本体５２として、第１水準器本体５１と同じ形状の水準器本体を、水準器本体の軸方向が回転軸Ａ１と直交する方向に沿うように設けてもよい。あるいは、第２水準器本体５２として、第１水準器本体５１と同じ形状の２つの水準器本体を、２つの水準器本体の軸方向が互いに交差し、かつ、２つの水準器本体の軸方向が回転軸Ａ１と直交する方向に沿うように設けてもよい。
【００７９】
また、水準器５は、気泡管を有する気泡管型水準器に限定されない。例えば、水準器５は、おもりが取り付けられた指針を有し、地球の重力に従って指針が差す方向を鉛直方向として検出する、指針型水準器であってもよい。あるいは、水準器５は、１又は複数の加速度センサを有し、１又は複数の加速度センサで地球の重力の向きを検出することにより水平方向を検出する水準器であってもよい。あるいは、水準器５は、デジタル式の水準器であってもよい。
【００８０】
また、水準器５は、回転軸Ａ１が水平方向に沿っているか否かと、回転軸Ａ１が鉛直方向に沿っているか否かとを検出することに限定されない。例えば、実施形態の第１気泡管５１１の軸方向が、回転軸Ａ１と直交する平面に対して所定の角度（例えば６０°）をなすように、第１水準器本体５１を固定部６に固定してもよい。この場合に、第１水準器本体５１の気泡５１３の中心Ｃ１が領域Ｆ１の中心に位置するように、電動工具１の向きが調整されると、回転軸Ａ１は、水平面に対して所定の角度をなす。したがって、ユーザは、電動工具１により、深さ方向が水平面に対して所定の角度をなす穴を穴あけ対象１００にあけることができる。
【００８１】
また、水準器５が深さゲージ６５を軸として回転することを抑制する構成を設けてもよい。例えば、水準器５のハウジング５３に、Ｃ字状のクランプ形の部位を設けてもよい。そして、クランプ形の部位は、例えば、ねじ締めされることにより、深さゲージ６５を締め付ける。つまり、このとき、ハウジング５３の一部が深さゲージ６５を締め付けることにより、深さゲージ６５を軸とする水準器５の回転が抑制される。
【００８２】
また、実施形態では、電動工具１の電源にリチウムイオン電池を用いるが、電池は、１次電池でもよいし、リチウムイオン電池以外の２次電池でもよい。また、電動工具１の電源に商用電源等の外部電源を用いてもよい。
【００８３】
（まとめ）
以上説明したように、第１の態様に係る電動工具１は、ホルダＨ１と、胴部３と、グリップ部４と、水準器５と、固定部６と、を備える。ホルダＨ１は、先端工具Ｔ１が回転軸Ａ１を中心に回転できるように先端工具Ｔ１を固定する。胴部３には、ホルダＨ１が固定されている。グリップ部４は、胴部３から突出する。固定部６は、胴部３に取り付けられ、水準器５を固定する。固定部６は、水準器５と一緒に、回転軸Ａ１と直交する平面に沿って胴部３の周りを先端工具Ｔ１の回転方向Ｒ１に回転可能である。
【００８４】
上記の構成によれば、ユーザは、水準器５を用いることにより、先端工具Ｔ１の回転軸Ａ１が所定の方向（例えば、水平方向又は鉛直方向）に沿うように電動工具１の向きを調整することができる。また、水準器５は、固定部６と一緒に、回転軸Ａ１と直交する平面に沿って胴部３の周りを先端工具Ｔ１の回転方向Ｒ１に回転可能である。したがって、ユーザは、水準器５が見易い状態となるよう水準器５を回転させることができる。例えば、ユーザは、先端工具Ｔ１と水準器５とが重ならずに見えるよう水準器５を回転させることができる。
【００８５】
また、第２の態様に係る電動工具１は、第１の態様において、補助ハンドル７を更に備える。補助ハンドル７は、固定部６につながっている。補助ハンドル７は、固定部６及び水準器５と一緒に、胴部３の周りを回転方向Ｒ１に回転可能である。
【００８６】
上記の構成によれば、ユーザは、補助ハンドル７に胴部３の周りを回転させるという簡単な操作により、水準器５に胴部３の周りを回転させることができる。
【００８７】
また、第３の態様に係る電動工具１では、第２の態様において、補助ハンドル７は、棒状部７０を有する。棒状部７０は、固定部６につながっている。棒状部７０は、棒状部７０の長手方向において胴部３に向かい合う。固定部６は、棒状部７０の長手方向において棒状部７０と水準器５との間に胴部３が位置するように水準器５を固定する。
【００８８】
上記の構成によれば、棒状部７０側から見て、先端工具Ｔ１と水準器５とが重なりにくい。
【００８９】
また、第４の態様に係る電動工具１では、第３の態様において、固定部６は、棒状部７０の長手方向における棒状部７０の延長線上から、胴部３を中心として回転方向Ｒ１にずれた位置に水準器５を固定する。
【００９０】
もし、棒状部７０の長手方向における延長線上に水準器５が設けられていると、棒状部７０側から見て、水準器５が胴部３に隠れて見えないことがある。それに対して、上記の構成によれば、棒状部７０の長手方向における延長線上からずれた位置に水準器５が固定されているので、水準器５が胴部３に隠れる可能性を低減でき、水準器５が見えやすい。
【００９１】
また、第５の態様に係る電動工具１は、第１〜４の態様のいずれか１つにおいて、操作部Ｏｐ１を更に備える。操作部Ｏｐ１は、先端工具Ｔ１を回転させるための操作を受け付ける。グリップ部４には、操作部Ｏｐ１が固定される。固定部６は、水準器５と、胴部３のうち回転軸Ａ１に沿った一の方向においてグリップ部４及びホルダＨ１の間の位置にある部位Ｐ１とが隣り合うように、水準器５を固定する。
【００９２】
上記の構成によれば、水準器５と、胴部３のうち一の方向においてグリップ部４及びホルダＨ１の間の位置にある部位Ｐ１とが隣り合う。つまり、水準器５と、胴部３のうち一の方向においてグリップ部４と同じ位置にある部位Ｐ２（図２参照）とが隣り合う場合と比較して、水準器５が先端工具Ｔ１の近くに位置する。したがって、ユーザは、先端工具Ｔ１と水準器５との両方を見やすい。
【００９３】
また、第６の態様に係る電動工具１では、第１〜５の態様のいずれか１つにおいて、固定部６は、棒状の深さゲージ６５を含む。深さゲージ６５は、先端工具Ｔ１が穴あけ対象１００に穴１１０を形成するドリルビットであるときに、穴１１０の深さが指定した深さに達したときに穴あけ対象１００に接触することで、穴１１０が指定した深さよりも深くなることを抑制する。水準器５には、挿入孔５３０が形成されている。挿入孔５３０には、深さゲージ６５が挿入されている。水準器５は、挿入孔５３０に深さゲージ６５が挿入されることにより、深さゲージ６５に固定されている。
【００９４】
上記の構成によれば、固定部６は深さゲージ６５を含み、水準器５は深さゲージ６５に固定されているので、固定部６と深さゲージ６５とを個別に設ける場合と比較して、部材の数を減らすことができる。
【００９５】
また、第７の態様に係る電動工具１は、第１〜６の態様のいずれか１つにおいて、ロック機構８を更に備える。ロック機構８は、水準器５が胴部３の周りを回転方向Ｒ１に回転する動作をロック及びロック解除する。
【００９６】
上記の構成によれば、水準器５の回転をロック機構８がロックすることにより、ユーザは、水準器５を用いて、水平状態を安定的に検出することができる。
【００９７】
また、第８の態様に係る電動工具１では、第１〜７の態様のいずれか１つにおいて、水準器５は、固定部６に対して回転方向Ｒ１に回転可能である。
【００９８】
上記の構成によれば、水準器５は、固定部６と一緒に胴部３の周りを回転することと、固定部６に対して回転することとが可能である。したがって、水準器５が胴部３の周りを回転するだけの場合と比較して、水準器５の位置を細かく調整できる。
【００９９】
また、第９の態様に係る電動工具１では、第１〜８の態様のいずれか１つにおいて、水準器５は、固定部６に着脱可能である。
【０１００】
上記の構成によれば、水準器５の交換が可能である。
【０１０１】
また、第１０の態様に係る電動工具１では、第１〜９の態様のいずれか１つにおいて、水準器５は、第１水準器本体５１と、第２水準器本体５２と、を含む。第１水準器本体５１は、回転軸Ａ１が水平方向に沿っているときに水平状態を検出する。第２水準器本体５２は、回転軸Ａ１が鉛直方向に沿っているときに水平状態を検出する。
【０１０２】
上記の構成によれば、ユーザは、第１水準器本体５１により先端工具Ｔ１の回転軸Ａ１が水平方向に沿うように電動工具１の向きを調整することも、第２水準器本体５２により先端工具Ｔ１の回転軸Ａ１が鉛直方向に沿うように電動工具１の向きを調整することもできる。
【０１０３】
また、第１１の態様に係る水準器５は、第１〜１０の態様のいずれか１つに係る電動工具１に備えられる。
【０１０４】
上記の構成によれば、ユーザは、水準器５を用いることにより、先端工具Ｔ１の回転軸Ａ１が所定の方向（例えば、水平方向又は鉛直方向）に沿うように電動工具１の向きを調整することができる。また、ユーザは、水準器５が見易い状態となるよう水準器５に胴部３の周りを回転させることができる。
【０１０５】
また、第１２の態様に係る補助ハンドルブロックＢ１は、ホルダＨ１と、胴部３と、グリップ部４と、水準器５と、固定部６と、補助ハンドル７と、を備える電動工具１の水準器５、固定部６及び補助ハンドル７を備える。ホルダＨ１は、先端工具Ｔ１が回転軸Ａ１を中心に回転できるように先端工具Ｔ１を固定する。胴部３には、ホルダＨ１が固定されている。グリップ部４は、胴部３から突出する。固定部６は、胴部３に取り付けられ、水準器５を固定する。補助ハンドル７は、固定部６につながっている。固定部６は、水準器５と一緒に、回転軸Ａ１と直交する平面に沿って胴部３の周りを先端工具Ｔ１の回転方向Ｒ１に回転可能である。補助ハンドル７は、固定部６及び水準器５と一緒に、胴部３の周りを回転方向Ｒ１に回転可能である。
【０１０６】
上記の構成によれば、ユーザは、水準器５を用いることにより、先端工具Ｔ１の回転軸Ａ１が所定の方向（例えば、水平方向又は鉛直方向）に沿うように電動工具１の向きを調整することができる。また、ユーザは、水準器５が見易い状態となるよう水準器５に胴部３の周りを回転させることができる。さらに、ユーザは、補助ハンドル７に胴部３の周りを回転させるという簡単な操作により、水準器５に胴部３の周りを回転させることができる。
【０１０７】
第２〜１０の態様に係る構成については、電動工具１に必須の構成ではなく、適宜省略可能である。
【符号の説明】
【０１０８】
１  電動工具
Ｈ１  ホルダ
３  胴部
４  グリップ部
５  水準器
６  固定部
Ｔ１  先端工具
Ａ１  回転軸
Ｒ１  回転方向
７  補助ハンドル
７０  棒状部
Ｏｐ１  操作部
Ｐ１  部位
６５  深さゲージ
１００  穴あけ対象
１１０  穴
５３０  挿入孔
８  ロック機構
Ｂ１  補助ハンドルブロック
５１  第１水準器本体
５２  第２水準器本体
【図１】
2019089138.tif 000003
【図２】
2019089138.tif 000004
【図３】
2019089138.tif 000005
【図４】
2019089138.tif 000006
【図５】
2019089138.tif 000007
【図６】
2019089138.tif 000008
【図７】
2019089138.tif 000009